【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記事前決定手段の決定結果および前記導出操作手段の操作に応じて表示結果を導出する制御を行う導出制御手段と、
所定状態と該所定状態よりも遊技者に有利な有利状態とを含む複数種類の状態のうちのいずれかに制御する状態制御手段と、
遊技の進行における所定の契機で報知条件を設定し、該報知条件にしたがって前記事前決定手段の決定結果に応じた結果情報を報知するための制御を行う報知制御手段とを備え、
前記状態制御手段は、
前記事前決定手段の決定結果が第１決定結果であるときには、該第１決定結果に対応する第１手順で前記導出操作手段が操作されることで前記有利状態へ制御可能であり、該第１手順以外の手順で操作されることで前記有利状態へ制御せず、
前記事前決定手段の決定結果が第２決定結果であるときには、前記第１手順とは異なる該第２決定結果に対応する第２手順で前記導出操作手段が操作されることで前記有利状態へ制御可能であり、該第２手順以外の手順で操作されることで前記有利状態へ制御せず、
前記事前決定手段の決定結果が前記第１決定結果であるとき、前記第２決定結果であるとき、のいずれであっても、前記第１手順でもなく前記第２手順でもない予め定められた共通手順で前記導出操作手段が操作されたときには、前記有利状態へ制御せず、
さらに前記スロットマシンは、前記報知制御手段により前記事前決定手段の決定結果に応じた結果情報を報知しておらず、かつ、前記共通手順以外の手順で前記導出操作手段が操作されたときには、前記共通手順で操作されたときには行われることのない遊技者にとって不利な不利制御を行うことが可能であり、
前記報知制御手段は、前記報知条件を設定するための報知設定条件が成立したときであっても、前記不利制御が行なわれているときには、前記不利制御が行なわれていないときよりも遊技者にとっての有利度合いを低下させることを特徴とする、スロットマシン。
【手続補正２】
【補正対象書類名】明細書
【補正対象項目名】０００１
【補正方法】変更
【補正の内容】
【０００１】
本発明は、たとえば、スロットマシンに関する。詳しくは、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【手続補正３】
【補正対象書類名】明細書
【補正対象項目名】００１０
【補正方法】変更
【補正の内容】
【００１０】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
表示結果が導出される前に、入賞について発生を許容するか否かを決定する事前決定手段と、
遊技者が表示結果を導出させるために操作する導出操作手段と、
前記事前決定手段の決定結果および前記導出操作手段の操作に応じて表示結果を導出する制御を行う導出制御手段と、
所定状態と該所定状態よりも遊技者に有利な有利状態とを含む複数種類の状態のうちのいずれかに制御する状態制御手段と、
遊技の進行における所定の契機で報知条件を設定し、該報知条件にしたがって前記事前決定手段の決定結果に応じた結果情報を報知するための制御を行う報知制御手段とを備え、
前記状態制御手段は、
前記事前決定手段の決定結果が第１決定結果であるときには、該第１決定結果に対応する第１手順で前記導出操作手段が操作されることで前記有利状態へ制御可能であり、該第１手順以外の手順で操作されることで前記有利状態へ制御せず、
前記事前決定手段の決定結果が第２決定結果であるときには、前記第１手順とは異なる該第２決定結果に対応する第２手順で前記導出操作手段が操作されることで前記有利状態へ制御可能であり、該第２手順以外の手順で操作されることで前記有利状態へ制御せず、
前記事前決定手段の決定結果が前記第１決定結果であるとき、前記第２決定結果であるとき、のいずれであっても、前記第１手順でもなく前記第２手順でもない予め定められた共通手順で前記導出操作手段が操作されたときには、前記有利状態へ制御せず、
さらに前記スロットマシンは、前記報知制御手段により前記事前決定手段の決定結果に応じた結果情報を報知しておらず、かつ、前記共通手順以外の手順で前記導出操作手段が操作されたときには、前記共通手順で操作されたときには行われることのない遊技者にとって不利な不利制御を行うことが可能であり、
前記報知制御手段は、前記報知条件を設定するための報知設定条件が成立したときであっても、前記不利制御が行なわれているときには、前記不利制御が行なわれていないときよりも遊技者にとっての有利度合いを低下させる。
なお、以下の構成を備えるものでもよい。
１ゲームに対して賭数を設定することによりゲームが開始可能となるとともに、表示状態を変化させることが可能な可変表示装置に表示結果が導出されることにより１ゲームが終了し、該可変表示装置の表示結果に応じて入賞が発生可能とされたスロットマシン（スロットマシン１）であって、
前記可変表示装置に表示結果が導出される前に、複数種類の入賞について発生を許容するか否かを決定する事前決定手段（内部抽選処理）と、
前記可変表示装置に表示結果を導出させるための操作を受付ける導出操作受付手段（ストップスイッチ８Ｌ〜８Ｒ）と、
前記事前決定手段の決定結果および前記導出操作受付手段が受付けた操作に応じて前記可変表示装置に表示結果を導出させる制御を行なう導出制御手段（リール回転処理）と、
遊技状態を制御する手段であって、通常遊技状態において有利移行表示結果（昇格リプレイの組合せ）が導出されたときに前記通常遊技状態よりも遊技者にとって有利な有利遊技状態（有利ＲＴ）に制御し、前記通常遊技状態において不利移行表示結果（転落リプレイの組合せ）が導出されたときに前記通常遊技状態よりも遊技者にとって不利な不利遊技状態（不利ＲＴ）に制御する遊技状態制御手段（入賞判定処理、有利ＲＴあるいは不利ＲＴに制御するための処理）と、
遊技の進行における所定の契機で報知条件（図１０、図１１、図１７、図１８参照）を設定し、該報知条件にしたがって前記事前決定手段の決定結果に応じた結果情報（ナビ演出）を報知するための制御を行なう報知制御手段（ナビ演出を実行するための処理）とを備え、
前記導出制御手段は、
前記事前決定手段の決定結果が、前記複数種類の入賞のうち第１入賞（転落リプレイ）および第２入賞（昇格リプレイ）のうち少なくとも一方を含む入賞の発生を許容する旨の決定結果（リプＧＲ１、リプＧＲ２）となった場合であって、当該決定結果の種類に関わらず予め定められた共通の手順（順押し、逆押し）で前記導出操作受付手段により操作が受付けられたときには、前記有利移行表示結果と異なりかつ前記不利移行表示結果と異なる表示結果（通常リプレイの組合せ）を導出させ（図８（ａ）参照）、
前記事前決定手段の決定結果が、発生が許容された入賞に前記第１入賞を含む複数種類の決定結果（リプＧＲ１、リプＧＲ２）のうちいずれかとなった場合に、前記共通の手順と異なる手順でかつ当該決定結果の種類に応じて定められた手順であって他の決定結果の種類に応じて定められた手順と異なる特定手順（リプＧＲ１については挟み押し、リプＧＲ２については中押し）で前記導出操作受付手段により操作が受付けられたときには前記不利移行表示結果を導出させ、当該特定手順と異なる手順で前記導出操作受付手段により操作が受付けられたときには前記不利移行表示結果と異なる表示結果を導出させ（図８（ａ）参照）、
前記事前決定手段の決定結果が、発生が許容された入賞に前記第２入賞を含む複数種類の決定結果（リプＧＲ１、リプＧＲ２）のうちいずれかとなった場合に、当該決定結果と異なる決定結果であって発生が許容された入賞に前記第１入賞を含む決定結果となったときに前記不利移行表示結果を導出させるための特定手順（挟み押し、中押し）のいずれかと同一の手順で、かつ当該決定結果の種類に応じて定められた手順であって他の決定結果の種類に応じて定められた手順と異なる有利手順（リプＧＲ１については中押し、リプＧＲ２については挟み押し）で前記導出操作受付手段により操作が受付けられたときには前記有利移行表示結果を導出させ、当該有利手順と異なる手順で前記導出操作受付手段により操作が受付けられたときには前記有利移行表示結果と異なる表示結果を導出させる（図８（ａ）参照）。